(57)【要約】【課題】確実に液切りでき、製造コストを抑えることが可能な包装袋を提供する。【解決手段】包装袋１００は、固形物と液体とを収容する収容袋１１０と、収容袋１１０内の一方の端部１１２近傍において折り返して設けられた液切りフィルター１２０と、前記収容袋１１０の側端部において、液切りフィルター１２０の折り返し部分１２２と、一方の端部１１２と、の間に設けられた第１の易開封部１３０と、前記収容袋１１０の側端部において、収容袋１１０の他方の端部１１４近傍に設けられた第２の易開封部１４０と、を備える。固形物と液体とが収容袋１１０内に収容された状態で、他方の端部１１４が閉じられる。第１の易開封部１３０に沿って開封することで、液切りフィルター１２０を介して収容袋１１０内から液体が排出され、第２の易開封部１４０に沿って開封することで、収容袋１１０内から固形物が取り出される。【選択図】図１
2018039550.tif 000002
【特許請求の範囲】
【請求項１】
固形物と液体とを収容する収容袋と、
前記収容袋内の一方の端部近傍において折り返して設けられた液切りフィルターと、
前記収容袋の側端部において、前記液切りフィルターの折り返し部分と、前記一方の端部と、の間に設けられた第１の易開封部と、
前記収容袋の側端部において、前記収容袋の他方の端部近傍に設けられた第２の易開封部と、
を備え、
前記固形物と前記液体とが前記収容袋内に収容された状態で、前記他方の端部が閉じられ、
前記第１の易開封部に沿って開封することで、前記液切りフィルターを介して前記収容袋内から前記液体が排出され、
前記第２の易開封部に沿って開封することで、前記収容袋内から前記固形物が取り出される、
ことを特徴とする包装袋。
【請求項２】
前記液切りフィルターは、不織布である、
ことを特徴とする請求項１に記載の包装袋。
【発明の詳細な説明】
【技術分野】
【０００１】
本発明は、包装袋に関する。
【背景技術】
【０００２】
従来より、漬物等の固形物と液体とを含む食品の収容袋として、四方シール形状等の平袋や、スタンディングパウチ、ガセットパウチ、テトラ形状の袋などが使用されている。
【０００３】
このような収容袋から固形物のみを取り出そうとする場合、固形物と液体とが一緒になって収容袋から取り出されてしまい、液体が周りに飛び散ったり、取り出し後に固形物と液体とを分離させることが必要となり、作業が煩雑になるという問題があった。
【０００４】
このため、液切りをスムーズに行うための収容袋が、いくつか提案されている。
【０００５】
特許文献１には、内容物としての汁が漏れないように身が蓋で密閉される外容器と、その汁に浸る食品を掬い上げ得るように底部に笊目が形成された食品収納用の内容器とからなり、内容器の上端に左右一対の引上げ摘みを起立して突設し、身に被着した蓋の押圧により両引上げ摘みが伏するように、両引上げ摘みの下端部を弾性変形により屈折可能に形成したことを特徴とする汁物密閉容器が記載されている。
【０００６】
特許文献２には、少なくとも、フィルム基材層とシーラント層とを積層した積層材料を用いて製袋した包装袋において、該包装袋の少なくとも、一辺または該袋の辺の一部に、液切りシール部が該袋の密封用端部シール部の内側方向の離れた位置か、または該端部シール部と一部重なって設けられていることを特徴とする液体分離排出機能を有する包装袋が記載されている。
【０００７】
特許文献３には、固形物と液体とを含む収容物を収容させる収容袋において、この収容袋の少なくとも１辺に沿って複数の液切りシール部が間隔を介して設けられると共に、収容袋における上記の１辺に沿って、この１辺とこの液切りシール部との間又は液切りシール部における上記の１辺とは反対側の部分が残る位置を通るようにしてテープ状の直線カット性合成樹脂フィルムが貼着されていることを特徴とする収容袋が記載されている。
【先行技術文献】
【特許文献】
【０００８】
【特許文献１】特開２００４−３３８７６４号公報
【特許文献２】特開２００８−２０７８４１号公報
【特許文献３】登録実用新案第３１６００７２号公報
【発明の概要】
【発明が解決しようとする課題】
【０００９】
しかしながら、特許文献１に記載の容器は、硬質のプラスチック材で作られており、また、プラスチック材を複雑な形状に加工する必要があるため、製造コストの点で課題を残していた。また、特許文献２、３に記載の包装袋では、明太子、たらこ等の粒の小さな固形物を収容すると、液切りシール部間において目詰まりが生じてスムーズに液切りができない場合があり、また、液切りシール部近傍に明太子、たらこ等の粒が溜まった場合、それを取り出すのは困難であった。
【００１０】
本発明は、上記事情に鑑みてなされたものであり、確実に液切りでき、製造コストを抑えることが可能な包装袋を提供することを目的とする。
【課題を解決するための手段】
【００１１】
上記目的を達成するため、本発明の第１の観点に係る包装袋は、
固形物と液体とを収容する収容袋と、
前記収容袋内の一方の端部近傍において折り返して設けられた液切りフィルターと、
前記収容袋の側端部において、前記液切りフィルターの折り返し部分と、前記一方の端部と、の間に設けられた第１の易開封部と、
前記収容袋の側端部において、前記収容袋の他方の端部近傍に設けられた第２の易開封部と、
を備え、
前記固形物と前記液体とが前記収容袋内に収容された状態で、前記他方の端部が閉じられ、
前記第１の易開封部に沿って開封することで、前記液切りフィルターを介して前記収容袋内から前記液体が排出され、
前記第２の易開封部に沿って開封することで、前記収容袋内から前記固形物が取り出される、
ことを特徴とする。
【００１２】
例えば、前記液切りフィルターは、不織布である。
【発明の効果】
【００１３】
本発明によれば、確実に液切りでき、製造コストを抑えることが可能な包装袋を提供することができる。
【図面の簡単な説明】
【００１４】
【図１】本発明の一実施形態である包装袋を模式的に表した斜視図である。
【図２】本発明の一実施形態である包装袋の液切りフィルター部分の断面図である。
【図３】本発明の一実施形態である包装袋に、固形物（明太子）を収容した状態を模式的に表した斜視図である。
【図４】本発明の一実施形態である包装袋の第１の易開封部を開封して、液切りする様子を模式的に表した斜視図である。
【図５】本発明の一実施形態である包装袋から明太子を取り出す様子を模式的に表した斜視図である。
【発明を実施するための形態】
【００１５】
まず、本発明の実施形態の包装袋１００について詳細に説明する。
【００１６】
本実施形態の包装袋１００は、図１に示すように、収容袋１１０と、収容袋１１０内の一方の端部（上端部）１１２近傍において折り返して設けられた液切りフィルター１２０と、液切りフィルター１２０の折り返し部分１２２と一方の端部（上端部）１１２との間に設けられた第１の易開封部（上部切込）１３０と、収容袋１１０の他方の端部（下端部）１１４近傍に設けられた第２の易開封部（下部切込）１４０と、を備える。なお、包装袋１００の上下は、図１に示す通りである。
【００１７】
収容袋１１０は、固形物（明太子）１０と液体（漬け込み液）２０とを収容するためのものである。収容袋１１０は、２枚のポリエチレンテレフタレート（ＰＥＴ）製の基材からなり、２枚の基材の上端及び両側端が熱融着されて、袋状に成型される。固形物（明太子）１０と液体（漬け込み液）２０とが収容袋１１０内に収容された状態で、他方の端部（下端部）１１４が熱融着されて閉じられる。このように、他方の端部（下端部）１１４を熱融着して閉じることで、固形物（明太子）１０と液体（漬け込み液）２０とを収容袋１１０内に密閉状態で収容する。なお、後述するように、収容袋１１０の側端部の上方には、第１の易開封部（上部切込）１３０が一対設けられ、収容袋１１０の側端部の下方には、第２の易開封部（下部切込）１４０が一対設けられている。
【００１８】
液切りフィルター１２０は、収容袋１１０内の一方の端部（上端部）１１２近傍において折り返して設けられている。液切りフィルター１２０は、収容袋１１０内の液体（漬け込み液）２０を排出させる一方で、固形物（明太子）１０を収容袋１１０内に残す役割を果たし、すなわち、液切りを行うために用いられる。液切りフィルター１２０は、不織布であり、明太子の粒の粒径よりも小さな孔径、例えば、０．１〜１．４ｍｍ、０．１〜１．２ｍｍ、０．１〜１ｍｍ、０．１〜０．８ｍｍ、０．１〜０．６ｍｍ、０．１〜０．４ｍｍである孔径の孔を有する不織布、例えば、コーヒーフィルターを好適に用いることができる。図１、図２に示されるように、矩形状の液切りフィルター１２０は折り返し部分１２２において折り返されて、折り返し部分１２２に対向する長軸端部１２４は収容袋１１０内に接着されており、短軸端部１２６は収容袋１１０の両側端部に挟まれて熱融着されている。
【００１９】
第１の易開封部（上部切込）１３０は、収容袋１１０の両側端部において、液切りフィルター１２０の折り返し部分１２２と、一方の端部（上端部）１１２と、の間に一対設けられている。第１の易開封部（上部切込）１３０に沿って開封することで、液切りフィルター１２０を介して収容袋１１０内から液体（漬け込み液）２０を排出させることができる。つまり、第１の易開封部（上部切込）１３０に沿って開封することで、液切りが可能となる。
【００２０】
第２の易開封部（下部切込）１４０は、収容袋１１０の両側端部において、収容袋１１０の他方の端部（下端部）１１４近傍に一対設けられている。第２の易開封部（下部切込）１４０に沿って開封することで、収容袋１１０内から固形物（明太子）１０を取り出すことが可能となる。
【００２１】
本実施形態の包装袋１００の使用方法について、以下に説明する。
【００２２】
液切りフィルター１２０を上述の通り設けた収容袋１１０内に、固形物（明太子）１０と液体（漬け込み液）２０とを収容し、収容袋１１０の他方の端部（下端部）１１４を熱融着させて閉じる（図３）。なお、固形物（明太子）１０と液体（漬け込み液）２０とが収容袋１１０内に収容された状態で、流通される。
【００２３】
固形物（明太子）１０を包装袋１００から取り出す場合には、まず、第１の易開封部（上部切込）１３０に沿って開封して、液切りフィルター１２０を介して液切りを行い、収容袋１１０内の液体（漬け込み液）２０を排出させる（図４）。
【００２４】
その後、第２の易開封部（下部切込）１４０に沿って開封して、収容袋１１０内の固形物（明太子）１０を取り出す（図５）。液切りフィルター１２０近傍に明太子の粒が残留している場合には、スプーンなどを用いて明太子の粒をかき出す。
【００２５】
以上説明したように、本発明の実施形態に係る包装袋１００によれば、固形物（明太子）１０と液体（漬け込み液）２０とを確実に分けて、固形物（明太子）１０のみを簡便に取り出すことが可能である。粒の小さな明太子などの固形物でも、明太子の粒による目詰まりを起こすことなく、確実な液切りが可能であり、また、液切り後の明太子の粒を無駄にすることなく収容袋１１０内から取り出すことができる。
【００２６】
また、本発明の実施形態に係る包装袋１００は、２枚の基材に液切りフィルター１２０を挟み込んで熱融着することで製造できるため、製造コストを抑えることが可能である。
【００２７】
なお、この発明は上記実施の形態に限定されず、種々の変形及び応用が可能である。例えば、本実施形態においては、固形物として明太子を収容する包装袋１００の形態について説明したが、固形物は液体とともに収容されるものであれば特に制限されずに採用され、例えば、たらこ、漬け物、煮卵等であってもよい。
【００２８】
また、本実施形態においては、液切りフィルター１２０として不織布を用いた包装袋１００の形態について説明したが、固形物を収容袋１１０内に収容したまま液切りできるフィルターであれば特に制限されずに採用され得る。
【００２９】
また、本実施形態においては、収容袋１１０の上端部近傍に液切りフィルター１２０を設けた形態について説明したが、上端部近傍ではなく収容袋１１０の下端部近傍に液切りフィルター１２０を設けてもよい。
【００３０】
また、本実施形態においては、収容袋１１０に用いる基材の材質としてポリエチレンテレフタレート（ＰＥＴ）を用いた形態について説明したが、収容袋１１０の基材の材質は、例えば、ポリエチレンナフタレ−ト（ＰＥＮ）、ポリブチレンテレフタレート（ＰＢＴ）などのポリエステル、ポリエチレン（ＰＥ）、ポリプロピレン（ＰＰ）、ポリスチレン（ＰＳ）などのポリオレフィン、ナイロン−６、ナイロン−６６などのポリアミド（ＰＡ）、ポリカーボネート（ＰＣ）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリビニルアルコール（ＰＶＡ）、エチレン−ビニルアルコール共重合体（ＥＶＯＨ）、ポリエーテルスルフォン（ＰＥＳ）、ポリメチルメタクリレート（ＰＭＭＡ）などの延伸又は無延伸フィルムや、ナイロン−６／メタキシリレンジアミンナイロン６共押出しフィルムや、ポリプロピレン／エチレン−ビニルアルコール共重合体共押出しフィルムや、これらの２以上のフィルムを積層した複合フィルム等であってもよい。
【符号の説明】
【００３１】
１０  固形物（明太子）
２０  液体（漬け込み液）
１００  包装袋
１１０  収容袋
１１２  一方の端部（上端部）
１１４  他方の端部（下端部）
１２０  液切りフィルター
１２２  折り返し部分
１２４  長軸端部
１２６  短軸端部
１３０  第１の易開封部（上部切込）
１４０  第２の易開封部（下部切込）
【図１】
2018039550.tif 000003
【図２】
2018039550.tif 000004
【図３】
2018039550.tif 000005
【図４】
2018039550.tif 000006
【図５】
2018039550.tif 000007